(57)【特許請求の範囲】
【請求項１】
円形の上開口部が空けられた上デッキプレートと、
下開口部が空けられ前記上デッキプレートと対向するように配置された下デッキプレートと、
前記上デッキプレートと前記下デッキプレートとの間に空間を確保するためにそれらの四隅に介在させた門柱と、
前記上下デッキプレートの各辺に２つの差込孔が形成されるように両端の前記門柱の間に配置された中柱と、
前記門柱から前記上開口部を見たときに右隣の前記中柱との間を補強するために前記上デッキプレートの下面に取り付けられた右補強材と、
前記門柱の左隣の前記中柱との間を補強するために前記上デッキプレートの下面に取り付けられた左補強材と、を有し、
前記左右補強材の内側板と前記中柱の内側壁とが前記上開口部を十二角形状に囲むように配置された、
ことを特徴とするドラム缶用パレット。
【請求項２】
前記上デッキプレートは、上面に前記上開口部の縁にドラム缶を載置可能に押さえるガイドが設けられ、
前記左右補強材の内側板及び前記中柱の内側壁の位置が、前記上開口部と前記ガイドの間に収まる、
ことを特徴とする請求項１に記載のドラム缶用パレット。
【請求項３】
前記右補強材の隣側板と前記左補強材の隣側板とを接するように配置したときに、前記右補強材と前記左補強材とが隣側板に関して左右対称の五角形状の板材であり、各辺の側板を上方に折り曲げて丸みを形成し、前記上デッキプレートよりも下側へ出るように取り付けられる、
ことを特徴とする請求項１又は２に記載のドラム缶用パレット。
【請求項４】
前記下デッキプレートは、前記上デッキプレートよりも大きいサイズであり、側面の強度を維持するとともに、ドラム缶の上に被せる際の位置決め用にテーパ部が形成された端材を有する、
ことを特徴とする請求項１乃至３の何れか一に記載のドラム缶用パレット。
【請求項５】
前記差込孔は、前記上開口部又は前記下開口部からドラム缶を撮影する手段を通過可能に設けられる、
ことを特徴とする請求項１乃至４の何れか一に記載のドラム缶用パレット。
【発明の詳細な説明】
【技術分野】
【０００１】
本発明は、放射性廃棄物を収納したドラム缶を載置して保管するためのドラム缶用パレットに関する。
【背景技術】
【０００２】
原子力発電所などの施設において発生した使用済み防護服などの放射性廃棄物は、ドラム缶などの廃棄物容器に入れて保管される。廃棄物容器は、金属製のパレットに載置して運搬及び保管される。ドラム缶の場合、１台のパレットに１つ又は４つ載せられる。廃棄物容器は、縦横に並べられ、さらにパレットを介して複数段に重ねられる。
【０００３】
廃棄物容器を長期間保管していると容器内の水分が結露する等して容器の底や蓋に水滴が付着し、そこから腐食が進んで空いた孔から放射性物質が外に漏洩するおそれがある。そのため、パレットに開口部を設けて、廃棄物容器の上下面などをカメラ等で撮影して腐食の状況などを確認している。
【０００４】
特許文献１に記載されているように、放射性廃棄物が収納されている廃棄物容器が大量に並置されている場合でも、廃棄物容器の腐食を推測して放射性物質の漏洩を予防する放射性廃棄物容器検査設備の発明も開示されている。
【先行技術文献】
【特許文献】
【０００５】
【特許文献１】特許第６６９５５８０号公報
【発明の概要】
【発明が解決しようとする課題】
【０００６】
しかしながら、廃棄物容器の確認範囲を広くするためにパレットの開口部を大きくすると、廃棄物容器の荷重を受け止める部分が小さくなる。円筒状のドラム缶の場合は、廃棄物の入れ方により荷重がバラつくこともあるが、パレットにフォークリフトで移動させる際にツメを差し込む孔が空いているため、強度が弱くなる部分が存在する。
【０００７】
そこで、本発明は、放射性廃棄物を収納したドラム缶の上下面を確認するための開口部を確保しつつドラム缶の荷重を受けるための強度を確保したドラム缶用パレットを提供することを目的とする。
【課題を解決するための手段】
【０００８】
上記の課題を解決するために、本発明であるドラム缶用パレットは、円形の上開口部が空けられた上デッキプレートと、下開口部が空けられ前記上デッキプレートと対向するように配置された下デッキプレートと、前記上デッキプレートと前記下デッキプレートとの間に空間を確保するためにそれらの四隅に介在させた門柱と、前記上下デッキプレートの各辺に２つの差込孔が形成されるように両端の前記門柱の間に配置された中柱と、前記門柱から前記上開口部を見たときに右隣の前記中柱との間を補強するために前記上デッキプレートの下面に取り付けられた右補強材と、前記門柱の左隣の前記中柱との間を補強するために前記上デッキプレートの下面に取り付けられた左補強材と、を有し、前記左右補強材の内側板と前記中柱の内側壁とが前記上開口部を十二角形状に囲むように配置された、ことを特徴とする。
【０００９】
前記ドラム缶用パレットにおいて、前記上デッキプレートは、上面に前記上開口部の縁にドラム缶を載置可能に押さえるガイドが設けられ、前記左右補強材の内側板及び前記中柱の内側壁の位置が、前記上開口部と前記ガイドの間に収まる、ことを特徴とする。
【００１０】
前記ドラム缶用パレットにおいて、前記右補強材と前記左補強材とは、左右対称の五角形状の板材であり、各辺の側板を上方に折り曲げて丸みを形成し、前記上デッキプレートよりも下側へ出るように取り付けられる、ことを特徴とする。
【００１１】
前記ドラム缶用パレットにおいて、前記下デッキプレートは、前記上デッキプレートよりも大きいサイズであり、側面の強度を維持するとともに、ドラム缶の上に被せる際の位置決め用にテーパ部が形成された端材を有する、ことを特徴とする。
【００１２】
前記ドラム缶用パレットにおいて、前記差込孔は、前記上開口部又は前記下開口部からドラム缶を撮影する手段を通過可能に設けられる、ことを特徴とする。
【発明の効果】
【００１３】
本発明によれば、放射性廃棄物を収納したドラム缶の上下面を確認するための開口部を確保しつつドラム缶の荷重を受けるための強度を確保することができる。また、パレットにツメを差し込む孔を確保しつつバランス良く補強材を配置しており、ドラム缶の荷重が部分的に集中したとしても安定して載置することができる。
【図面の簡単な説明】
【００１４】
【図１】本発明であるドラム缶用パレットを示す斜視図である。
【図２】本発明であるドラム缶用パレットを示す平面図である。
【図３】本発明であるドラム缶用パレットを示す正面図である。
【図４】本発明であるドラム缶用パレットのＡ−Ａで切断した断面図である。
【図５】本発明であるドラム缶用パレットのＢ−Ｂで切断した断面図である。
【図６】本発明であるドラム缶用パレットの補強材の六面図である。
【図７】本発明であるドラム缶用パレットの補強材の形状を説明する図である。
【図８】本発明であるドラム缶用パレットの載置部を説明する平面図である。
【図９】本発明であるドラム缶用パレットの使用状態を示す図である。
【発明を実施するための形態】
【００１５】
以下に、本発明の実施形態について図面を参照して詳細に説明する。なお、同一機能を有するものは同一符号を付け、その繰り返しの説明は省略する場合がある。
【実施例１】
【００１６】
まず、本発明であるドラム缶用パレットの構造について説明する。図１は、ドラム缶用パレットを示す斜視図である。図２は、ドラム缶用パレットを示す平面図である。図３は、ドラム缶用パレットを示す正面図である。図４は、ドラム缶用パレットの（ａ）Ａ−Ａで切断した断面図及び（ｂ）一部の拡大図である。図５は、ドラム缶用パレットのＢ−Ｂで切断した断面図である。
【００１７】
図１に示すように、ドラム缶用パレット１００は、円形の上開口部２１０が空けられた上デッキプレート２００、及び下開口部３１０が空けられ上デッキプレート２００と対向するように配置された下デッキプレート３００を有する。
【００１８】
図２に示すように、上デッキプレート２００は、矩形状（略正方形状）の金属板であり、四辺の縁は下方に折り曲げられる。上デッキプレート２００の上に円筒状のドラム缶１１０を載せられるように、縁状に載置部２３０を残して中央を打ち抜いて上開口部２１０を形成すれば良い。上開口部２１０を通してドラム缶１１０の下面を下方から視認可能である。
【００１９】
ドラム缶１１０を上デッキプレート２００の載置部２３０に載せたとき、ドラム缶１１０の位置がずれないように、載置部２３０を囲むようにガイド２２０を設けても良い。ガイド２２０は、金属板を環状に曲げて上デッキプレート２００の上に突出するように固着すれば良い。
【００２０】
下デッキプレート３００は、上デッキプレート２００と同様に矩形状の金属板であり、四辺の縁は下方に折り曲げられる。下デッキプレート３００は、上デッキプレート２００よりも縦と横を長くした大きいサイズであるが、下開口部３１０は、上開口部２１０と同じ径で空ければ良い。下開口部３１０を通してドラム缶１１０の上面を上方から視認可能である。
【００２１】
図３に示すように、ドラム缶用パレット１００は、上デッキプレート２００と下デッキプレート３００との間に空間を確保するためにそれらの四隅に介在させた門柱４００、上デッキプレート２００及び下デッキプレート３００の各辺に２つの差込孔４２０が形成されるように両端の門柱４００の間に配置された中柱４１０（４１０ａ、４１０ｂ）を有する。
【００２２】
門柱４００は、金属板を断面が正方形の角パイプ状に曲げたもので、上部は上デッキプレート２００の折り曲げた縁の角に掛け、下面は下デッキプレート３００の隅に載せて溶接等により固着させれば良い。
【００２３】
図４（ａ）に示すように、中柱４１０は、金属板を断面が長方形（短辺は門柱４００と同じ長さ）の角パイプ状に曲げたもので、上部は上デッキプレート２００の折り曲げた縁の中央部に掛け、下面は下デッキプレート３００の端の中央部に載せて溶接等により固着させれば良い。
【００２４】
差込孔４２０は、門柱４００と中柱４１０の間の空洞であり、フォークリフトのツメを差し込んでドラム缶用パレット１００を持ち上げ移動させる際に使用される。なお、差込孔４２０には、カメラを搭載させて遠隔操作可能な小型車両など、上開口部２１０又は下開口部３１０からドラム缶１１０の下面又は上面を撮影する手段を通過させても良い。
【００２５】
図４（ｂ）に示すように、下デッキプレート３００は、側面の強度を維持するとともに、ドラム缶１１０の上に被せる際の位置決め用にテーパ部３４０が形成された端材３３０を有する。
【００２６】
端材３３０は、下デッキプレート３００の側面に沿って、下デッキプレート３００の折り曲げた縁の内側に収まるように配置される。端材３３０は、金属板を断面が略コ状に折り曲げたもので、下デッキプレート３００の側面に何か当たって破損しても支持能力が維持される。
【００２７】
また、上デッキプレート２００のガイド２２０と同様に、ドラム缶１１０の位置が下デッキプレート３００の中央に来るように、端材３３０のテーパ部３４０で誘導する。なお、端材３３０は、門柱４００及び中柱４１０が載る位置を補強するが、下開口部３１０の縁まで達しなければ良い。
【００２８】
図５に示すように、ドラム缶用パレット１００は、門柱４００から上開口部２１０を見たときに右隣の中柱４１０ａとの間（差込孔４２０のある位置）を補強するために上デッキプレート２００の下面に取り付けられた右補強材５００、及び門柱４００の左隣の中柱４１０ｂとの間を補強するために上デッキプレート２００の下面に取り付けられた左補強材５１０を有する。
【００２９】
例えば、図５における左下の門柱４００の場合、門柱４００の右側に五角形状の右補強材５００が取り付けられ、門柱４００の上側に右補強材５００と対称形状の左補強材５１０が右補強材５００と隣接するように取り付けられる。
【００３０】
次に、本発明であるドラム缶用パレットの補強材について説明する。図６は、ドラム缶用パレットの補強材の六面図である。図７は、ドラム缶用パレットの補強材の（ａ）斜視図及び（ｂ）形状を説明する図である。図８は、ドラム缶用パレットの載置部を説明する平面図である。
【００３１】
図６及び図７（ａ）に示すように、右補強材５００の場合、五角形の底板５２０の各辺から垂立するように、内側板５３０、隣側板５４０、門側板５５０、中側板５６０、及び外側板５７０を設ける。なお、底板５２０の各辺において垂直に折曲加工し、隣接する各側板同士を溶接などで連結すれば良い。
【００３２】
内側板５３０は上開口部２１０に沿って配置され、隣側板５４０は左補強材５１０と接するように配置され、門側板５５０は門柱４００と接するように配置され、中側板５６０は中柱４１０と接するように配置され、外側板５７０は差込孔４２０に沿って配置される。なお、左補強材５１０は、右補強材５００と左右対称の五角形状の板材のため同様となる。
【００３３】
各側板は、底板５２０の各辺の側板を上方に折り曲げて丸み５８０を形成する。右補強材５００及び左補強材５１０は、空いた上面側が上デッキプレート２００の下面に溶接などにより接続される。
【００３４】
このとき、図３に示すように、差込孔４２０から内部を見たときに、丸み５８０を有する右補強材５００及び左補強材５１０が、上デッキプレート２００の縁よりも下側へ出るように取り付けられる。差込孔４２０に作業者が手などを差し入れたときや、撮影手段が通過するときに、丸み５８０によって上デッキプレート２００の縁（切断面に残ったバリなど）で傷つくことが防止される。また、内側板５３０と隣側板５４０の間の頂角に向かって、差込孔４２０から入った撮影手段が直進するように案内させても良い。
【００３５】
図７（ｂ）に示すように、右補強材５００は、内側板５３０が中柱４１０の内側壁４３０と同じ長さで１５０度の角度となっており、右補強材５１０の内側板５３０とも１５０度の角度となることが好ましい。
【００３６】
図８に示すように、右補強材５００及び左補強材５１０の内側板５３０と中柱４１０の内側壁４３０とが上開口部２１０を十二角形状に囲むように配置される。また、右補強材５００及び左補強材５１０の内側板５３０及び中柱４１０の内側壁４３０の位置が、上開口部２１０とガイド２２０の間に収まる。ガイド２２０の内壁に沿ってドラム缶１１０の外周が当接して、ドラム缶１１０が載置部２３０に載るので、ドラム缶１１０の外周より内側で支持されれば良い。
【００３７】
補強材が弧状ではなく、十二角形の線状の板材（内側板５３０及び内側壁４３０）で支持しているので湾曲しづらい。また、四隅の門柱４００から開口部中央に向かって右補強材５００と左補強材５１０の間の隣側板５４０によって対角状に補強される。中柱４１０の横側壁４４０や門柱４００に延びる板材（隣側板５４０）が開口部から放射状に出て支持しているので、さらに強度が向上する。
【００３８】
次に、本発明であるドラム缶用パレットの使用について説明する。図９は、ドラム缶用パレットの使用状態を示す図である。
【００３９】
図９に示すように、ガイド２２０に合わせてドラム缶用パレット１００の上にドラム缶１１０を載せ、さらに、端材３３０に合わせてドラム缶１１０の上に別のドラム缶用パレット１００を載せる。それを数段繰り返し、さらに縦横（前後左右）に並べて保管すれば良い。
【００４０】
ドラム缶用パレット１００は、上開口部２１０及び下開口部３１０が空いており、差込孔４２０から上側のドラム缶１１０の下面と、下側のドラム缶１１０の上面の腐食状況などを確認可能である。上開口部２１０を広くすると載置部２３０が狭くなるが、右補強材５００及び左補強材５１０があることでドラム缶用パレット１００の強度は保持される。
【００４１】
本発明によれば、放射性廃棄物を収納したドラム缶の上下面を確認するための開口部を確保しつつドラム缶の荷重を受けるための強度を確保することができる。また、パレットにツメを差し込む孔を確保しつつバランス良く補強材を配置しており、ドラム缶の荷重が部分的に集中したとしても安定して載置することができる。
【００４２】
以上、本発明の実施例を述べたが、これらに限定されるものではない。例えば、パレットを介してドラム缶を複数段に重ねた場合に、ツメを差し込む孔を通路としてカメラを搭載した小型の車両を遠隔操作で走行させ、上側のドラム缶の下面および下側のドラム缶の上面を撮影しても良い。
【符号の説明】
【００４３】
１００：ドラム缶用パレット
１１０：ドラム缶
２００：上デッキプレート
２１０：上開口部
２２０：ガイド
２３０：載置部
３００：下デッキプレート
３１０：下開口部
３２０：側面
３３０：端材
３４０：テーパ部
３５０：開口面
４００：門柱
４１０：中柱
４２０：差込孔
４３０：内側壁
４４０：横側壁
５００：右補強材
５１０：左補強材
５２０：底板
５３０：内側板
５４０：隣側板
５５０：門側板
５６０：中側板
５７０：外側板
５８０：丸み
【要約】
【課題】放射性廃棄物を収納したドラム缶の上下面を確認するための開口部を確保しつつドラム缶の荷重を受けるための強度を確保したドラム缶用パレットを提供する。
【解決手段】円形の上開口部が空けられた上デッキプレートと、下開口部が空けられ前記上デッキプレートと対向するように配置された下デッキプレートと、前記上デッキプレートと前記下デッキプレートとの間に空間を確保するためにそれらの四隅に介在させた門柱と、前記上下デッキプレートの各辺に２つの差込孔が形成されるように両端の前記門柱の間に配置された中柱と、前記門柱から前記上開口部を見たときに右隣の前記中柱との間を補強するために前記上デッキプレートの下面に取り付けられた右補強材と、前記門柱の左隣の前記中柱との間を補強するために前記上デッキプレートの下面に取り付けられた左補強材と、を有する。
【選択図】図１【図１】
0006979734.tif 000002
【図２】
0006979734.tif 000003
【図３】
0006979734.tif 000004
【図４】
0006979734.tif 000005
【図５】
0006979734.tif 000006
【図６】
0006979734.tif 000007
【図７】
0006979734.tif 000008
【図８】
0006979734.tif 000009
【図９】
0006979734.tif 000010